(57)【要約】【課題】現在表示されている画面以外に関連づけられた通知情報を知らせる通知音の定位情報を生成することができる。【解決手段】情報処理装置は、現在表示されている第１の画面から、通知音と関連づけられた第２の画面を表示させるための操作方向を取得する操作方向取得部と、上記操作方向に応じた上記通知音の発生位置を決定する定位情報生成部と、を有する。【選択図】図１
2013162284.tif 000002
【特許請求の範囲】
【請求項１】
第１の画面から、通知音と関連づけられた第２の画面を表示させるための操作方向を取得する操作方向取得部と、
前記操作方向に応じて、前記通知音の音源位置を示す定位情報を生成する定位情報生成部と、
を備える、情報処理装置。
【請求項２】
前記定位情報生成部は、前記第１の画面と前記第２の画面との間の距離に応じて前記定位情報を生成する、
請求項１に記載の情報処理装置。
【請求項３】
前記定位情報生成部は、経時的に前記音源位置を変化させ、前記音源位置の終着点を前記操作方向に応じた位置とする前記定位情報を生成する、
請求項１に記載の情報処理装置。
【請求項４】
前記情報処理装置の筐体の傾き情報を取得する傾き情報取得部、
をさらに備え、
前記定位情報生成部は、前記傾き情報に基づいて前記音源位置が変化する前記定位情報を生成する、
請求項１に記載の情報処理装置。
【請求項５】
通知情報の発生が検知されると、前記第２の画面を生成する生成部、
をさらに備え、
前記操作方向取得部は、前記第２の画面が生成されると前記第２の画面を表示させるための前記操作方向を決定する、
請求項１に記載の情報処理装置。
【請求項６】
前記操作方向取得部は、前記第１の画面の表示状態を変化させる操作が受付けられる方向に基づいて、前記操作方向を決定する、
請求項５に記載の情報処理装置。
【請求項７】
前記操作方向取得部は、前記第１の画面の表示状態を変化させる操作が受付けられない方向を前記第２の画面を表示させるための前記操作方向とする、
請求項６に記載の情報処理装置。
【請求項８】
前記操作方向取得部が前記操作方向を決定すると、決定した前記操作方向を示す誘導情報を表示させる誘導情報表示制御部、
をさらに備える、請求項５に記載の情報処理装置。
【請求項９】
前記定位情報に基づいて、前記通知音に立体音響処理を施す音響処理部、
をさらに備える、請求項１に記載の情報処理装置。
【請求項１０】
表示画面の表示状態を変化させる操作情報を取得する操作情報取得部、
をさらに備え、
前記定位情報生成部は、前記操作情報に基づいて前記第１の画面と前記第２の画面との間の距離が変化すると、前記距離の変化に追従して前記音源位置を変化させる、
請求項２に記載の情報処理装置。
【請求項１１】
前記第２の画面は、通知情報を有するアプリケーションの起動画面であり、
前記通知音は、前記通知情報を知らせるための音である、
請求項５に記載の情報処理装置。
【請求項１２】
前記第１の画面は、アプリケーションのアイコンが並んで表示される画面のうち現在表示されている画面であり、
前記第２の画面は、前記通知情報を有するアプリケーションのアイコンが表示される画面である、
請求項１に記載の情報処理装置。
【請求項１３】
第１の画面から、通知音と関連づけられた第２の画面を表示させるための操作方向を取得することと、
前記操作方向に応じて前記通知音の音源位置を示す定位情報を生成することと、
を含む、情報処理方法。
【請求項１４】
コンピュータを、
第１の画面から、通知音と関連づけられた第２の画面を表示させるための操作方向を取得する操作方向取得部と、
前記操作方向に応じて前記通知音の音源位置を示す定位情報を生成する定位情報生成部と、
を備える、情報処理装置として機能させるためのプログラム。
【発明の詳細な説明】
【技術分野】
【０００１】
本開示は、情報処理装置、情報処理方法、及びプログラムに関する。
【背景技術】
【０００２】
近年、情報処理技術の進展に伴い、ユーザの扱う情報は増大している。このため、如何にユーザが必要な情報を抽出するか、どうやってユーザに情報を提示するかが大きな関心事となっている。
【０００３】
情報の提示方法としては、画面表示を用いる提示方法が広く用いられている。ユーザの用いるデバイスの変化や提供する情報の変化にともなって、画面表示による情報の提供方法については、多くの人が提案してきた。しかし、画面表示を用いた情報の提示にも限界がある。そこで、音声を用いた情報の提示方法が提案されてきている。
【０００４】
例えば、特許文献１は、装置の現在位置から、予め設定された位置までの距離及び方向に基づいて、方向性を持った音声データを出力する方法を開示している。この装置により、聴覚のみで方向の指示を与えることができる。
【先行技術文献】
【特許文献】
【０００５】
【特許文献１】特開２００８−１５１７６６号公報
【発明の概要】
【発明が解決しようとする課題】
【０００６】
そこで本開示では、音声により情報を提供する場面の一例として、現在表示されている画面以外に関連づけられた通知情報を知らせる通知音の定位情報の生成について提案する。
【課題を解決するための手段】
【０００７】
本開示によれば、第１の画面から、通知音と関連づけられた第２の画面を表示させるための操作方向を取得する操作方向取得部と、上記操作方向に応じて、上記通知音の音源位置を示す定位情報を生成する定位情報生成部と、を有する情報処理装置が提供される。
【０００８】
かかる構成によれば、通知音と関連づけられた第２の画面を表示させるための操作方向に応じて、通知音の定位情報が生成される。従って、この定位情報に従って出力される通知音を聞いたユーザは、第２の画面を表示させるための操作方向を認識することができる。
【０００９】
また、本開示によれば、第１の画面から、通知音と関連づけられた第２の画面を表示させるための操作方向を取得することと、上記操作方向に応じて上記通知音の音源位置を示す定位情報を生成することと、を含む情報処理方法が提供される。
【００１０】
また、本開示によれば、コンピュータを、第１の画面から、通知音と関連づけられた第２の画面を表示させるための操作方向を取得する操作方向取得部と、上記操作方向に応じて上記通知音の音源位置を示す定位情報を生成する定位情報生成部と、を有する情報処理装置として機能させるためのプログラムが提供される。
【発明の効果】
【００１１】
以上説明したように本開示によれば、現在表示されている画面以外に関連づけられた通知情報を知らせる通知音の定位情報を生成することができる。
【図面の簡単な説明】
【００１２】
【図１】本開示の一実施形態に係る情報処理装置に実装される機能の概要を示す説明図である。
【図２】同実施形態に係る情報処理装置の機能構成を示すブロック図である。
【図３】同実施形態に係る情報処理装置の通知動作を示すフローチャートである。
【図４】同実施形態に係る情報処理装置の第１の通知例を説明するための説明図である。
【図５】同実施形態に係る情報処理装置の第１の通知例において、スクロール操作がされたときの様子を説明するための説明図である。
【図６】同実施形態に係る情報処理装置の第２の通知例を説明するための説明図である。
【図７】同実施形態に係る情報処理装置の第３の通知例を説明するための説明図である。
【図８】同実施形態に係る情報処理装置の第４の通知例において、通知画面の生成を説明するための説明図である。
【図９】図８に示される通知画面に対する操作を説明するための説明図である。
【図１０】同実施形態に係る情報処理装置の第４の通知例において、通知画面の生成位置の制限について説明するための説明図である。
【図１１】図１０に示される通知画面に対する操作を説明するための説明図である。
【図１２】同実施形態に係る情報処理装置の第４の通知例において、通知音とともに誘導情報を表示させる変形例を説明するための説明図である。
【図１３】同実施形態に係る情報処理装置のハードウェア構成を示すブロック図である。
【図１４】従来のアラート通知方法の一例を示す説明図である。
【図１５】従来のアラート通知方法の他の一例を示す説明図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．概要
２．機能構成
３．通知動作
４．第１の通知例（ホーム画面におけるアプリケーションからの通知）
５．第２の通知例（画面遷移方向の通知）
６．第３の通知例（バッファリング完了の通知）
７．第４の通知例（通知情報を持つアプリケーションの起動画面を生成）
８．ハードウェア構成例
【００１５】
＜１．概要＞
まず、図１、図１４、及び図１５を参照しながら、本開示において提案する技術の概要を説明する。図１は、本開示の一実施形態に係る情報処理装置に実装される機能の概要を示す説明図である。図１４は、従来のアラート通知方法の一例を示す説明図である。図１５は、従来のアラート通知方法の他の一例を示す説明図である。
【００１６】
スマートフォンの普及により、アプリケーションをダウンロードすることによって情報処理装置の機能をユーザに合わせてカスタマイズすることが一般的になってきている。また、マルチタスク対応のデバイスが普及しており、複数の機能を同時に起動することができるようになってきた。また、ディスプレイの表示領域は物理的に限られている。このため、スクロール又は画面の切替操作により、表示領域が変更される。
【００１７】
ところで、例えばアプリケーションが何らかのトリガにより発生した通知情報をユーザに知らせる方法が様々提案されている。例えば、図１４に示されるように、スマートフォンのホーム画面は、アプリケーションのアイコンが並べられていることが多い。このようなホーム画面において、通知情報を有するアプリケーションのアイコンに通知情報の件数を数字で示すことにより通知情報があること及び通知情報の件数をユーザに知らせることができる。
【００１８】
また、現在表示している画面以外からの通知情報が発生した場合に通知情報をユーザに知らせる方法の一例が図１５に示される。図１５の方法によれば、表示される画面上に通知情報を含むポップアップウィンドウＷが表示される。このポップアップウィンドウＷは、例えば通知情報に対するアクションを受付けるボタンが含まれていてよい。ユーザは、このボタンを操作することによって通知情報の詳細を確認することができてもよい。
【００１９】
しかし、図１５に示した方法では、ユーザは元々行っていた操作を中断しなければならなかった。またバックグランドで行われている処理を中断してしまうこともあった。ユーザの操作性を重視すれば、このようにユーザの所望する操作が中断されることは望ましくない。そこで、本開示では音声を用いることにより、ユーザの所望する操作を中断させることなく通知情報をユーザに提供する方法を提案する。
【００２０】
例えば図１に示されるように、本開示では、指向性を有する音声を用いることによって、通知情報をユーザに提供する。ここで、現在表示している画面の右側の画面に設定されたアイコンの示すアプリケーションが通知情報を有するとき、右側から通知音が聞こえてくるようにする。かかる構成により、通知音の方向によって、ユーザは通知情報を取得するための操作の方向を知ることができる。以下、このような機能を実現するための情報処理装置について説明する。
【００２１】
＜２．機能構成＞
ここで図２を参照しながら、本開示の一実施形態に係る情報処理装置１０の機能構成について説明する。図２は、同実施形態に係る情報処理装置の機能構成を示すブロック図である。
【００２２】
情報処理装置１０は、例えばスマートフォンを含む携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、携帯用ゲーム機器、撮像装置、ナビゲーション装置、ＰＣ（Ｐｅｒｓｏｎａｌ  Ｃｏｍｐｕｔｅｒ）、家庭用映像処理装置（ＤＶＤレコーダ、ビデオデッキなど）、家庭用ゲーム機器、家電機器などの情報処理装置であってよい。
【００２３】
情報処理装置１０は、操作部１０５と、操作情報取得部１１０と、表示部１１５と、表示制御部１２０と、音声出力部１２５と、音声出力制御部１３０とを主に有する。
【００２４】
（操作部１０５）
操作部１０５は、ユーザが所望の操作をするための入力信号を生成する機能を有する。操作部１０５は、例えばタッチパネル、マウス、キーボード、ボタン、マイク、スイッチ、レバー、及び各種センサなどユーザが情報を入力するための入力部と、ユーザによる入力に基づいて入力信号を生成及び出力する入力制御回路などから構成されてよい。例えば操作部１０５は、ユーザがタッチパネルに対して行う操作を検出して当該操作に基づいて入力信号を生成及び出力することができる。また操作部１０５は、傾きセンサの取得する情報処理装置１０の筐体の傾き情報に基づいて入力信号を生成及び出力することができる。
【００２５】
（操作情報取得部１１０）
操作情報取得部１１０は、ユーザにより入力された操作情報を取得する機能を有する。例えば操作情報取得部１１０は、操作部１０５から出力された入力信号を操作情報として取得することができる。情報処理装置１０は、操作情報取得部１１０により取得された操作情報に基づいて動作することができる。なお、操作情報取得部１１０は、第１の画面から、通知音と関連づけられた第２の画面を表示させるための操作方向を取得する操作方向取得部の一例である。
【００２６】
（表示部１１５）
表示部１１５は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部１１５は、表示制御部１２０の制御に従って動作することができる。
【００２７】
（表示制御部１２０）
表示制御部１２０は、ユーザに提供する表示画面の内容を制御する機能を有する。また表示制御部１２０は、操作情報取得部１１０により取得された操作情報に基づいて、表示画面の内容を制御することができる。例えば表示制御部１２０は、ユーザが行ったスクロール操作に応じて表示画面をスクロールさせることができる。また表示制御部１２０は、操作情報に応じて表示画面を拡大、縮小、又は画面遷移させることができる。また表示制御部１２０は、通知情報の発生が検知されると、通知情報と関連する画面を生成する生成部の一例である。表示制御部１２０は、例えばメールアプリケーションにおいて、新着メールの受信を知らせる通知情報が発生したときに、新着メールを通知する通知画面を起動して、ユーザが現在表示している画面からスクロール操作を行うと通知画面が表示されるように配置することができる。なおこのとき通知画面は、メールの本文を含む本文表示画面であってもよく、また受信メールの一覧画面であってもよい。また後述されるように、表示制御部１２０は、通知情報に関連する画面を表示させるための操作方向を示す誘導情報を表示させる誘導情報表示制御部の一例であってよい。また表示制御部１２０は、通知情報の発生が検知されると、通知情報と関連する第２の画面を生成する生成部の一例であってよい。
【００２８】
（音声出力部１２５）
音声出力部１２５は、音声信号を出力する機能を有する。音声出力部１２５は、例えばスピーカであってよい。また音声出力部１２５は、ヘッドホンなどの音声出力装置に音声信号を出力する出力端子であってもよい。音声出力部１２５は、音声出力制御部１３０の制御に従って動作することができる。なお、ここで用いられる音声出力装置は、音の定位情報に従って立体音響を出力することができる。
【００２９】
（音声出力制御部１３０）
音声出力制御部１３０は、ユーザに対する音声の出力を制御する機能を有する。また音声出力制御部１３０は、音源位置を示す定位情報を生成する定位情報生成部の一例である。音声出力制御部１３０は、第１の画面から、通知音と関連づけられた第２の画面を表示させるための操作方向に応じて、通知音の音源位置を示す定位情報を生成することができる。このとき音声出力制御部１３０は、第１の画面と第２の画面との間の距離に応じて定位情報を生成することができる。例えば第１の画面は、現在表示されている画面であってよい。現在表示されている画面が変更されるたびに第１の画面と第２の画面との間の距離は変動する。このため、音声出力制御部１３０は、現在表示されている画面に変更が加えられる度に定位情報を更新することができる。音声出力制御部１３０は、音源位置が近いほど音量が大きくなるように音声の出力を制御することができる。
【００３０】
音声出力制御部１３０は、通知音の音源位置を単純に通知音が関連づけられた画面を表示させるための操作方向に応じた方向に固定して位置させてよい。また人間は、単純に固定された位置からの音声を聞くよりも音源位置が変動する方が音声の方向を把握しやすいという特性を有する。このため、音声出力制御部１３０は、例えば通知音の音源位置を変動させた後、終着点を通知音が関連づけられた画面を表示させるための操作方向に応じた方向としてもよい。例えば現在表示されている画面において、右から左へのスクロール操作に応じて通知音が関連づけられた画面が表示される場合に、音声出力制御部１３０は、通知音の音源位置をユーザから右に固定する定位情報を生成してもよい。またこのとき、音声出力制御部１３０は、通知音の音源位置を変動させた後、ユーザから右側に固定されるように定位情報を生成してもよい。
【００３１】
また音声出力制御部１３０は、情報処理装置１０の傾きに応じて表示画面の向きが変更される場合には、この表示画面の向きの変更に応じて通知音の音源位置を変動させてよい。この音声出力制御部１３０は、通知音に立体音響処理を施す音響処理部の一例であってよい。
【００３２】
音声出力制御部１３０の生成する定位情報については、後に複数の場面を挙げて詳述される。なお、ここで通知音は、例えばメールの受信を知らせる通知音であってもよいがかかる例に限定されない。例えば動画像を再生する再生画面から動画像のリスト画面に遷移するときに、遷移の方向を通知するための通知音として、動画像の音声が用いられてもよい。この場合における動画像の音声も通知音に含まれる。
【００３３】
以上、本実施形態に係る情報処理装置１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ（Ｃｅｎｔｒａｌ  Ｐｒｏｃｅｓｓｉｎｇ  Ｕｎｉｔ）などの演算装置がこれらの機能を実現する処理手順を記述した制御プログラムを記憶したＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などの記憶媒体から制御プログラムを読出し、そのプログラムを解釈して実行することにより行ってもよい。従って、本実施形態を実施する時々の技術レベルに応じて、適宜、利用する構成を変更することが可能である。
【００３４】
なお、上述のような本実施形態に係る情報処理装置１０の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００３５】
＜３．通知動作＞
次に、図３を参照しながら本開示の一実施形態に係る情報処理装置の通知動作について説明する。図３は、同実施形態に係る情報処理装置の通知動作を示すフローチャートである。
【００３６】
まず、情報処理装置１０は、通知情報があるか否かを判断する（Ｓ１００）。例えば情報処理装置１０内部で動作するアプリケーションが何らかのトリガを検知することによりユーザに通知を行う設定がなされているとき、情報処理装置１０は、通知のトリガが検知されたか否かに基づいて、通知情報があるか否かを判断することができる。
【００３７】
ステップＳ１００の判断において、通知情報があると判断されたとき、音声出力制御部１３０は、通知情報を知らせる通知音の定位情報を生成する（Ｓ１０５）。そして、音声出力制御部１３０は、生成された定位情報に基づいて、通知音を出力させる（Ｓ１０７）。
【００３８】
次に表示制御部１２０は、表示画面の変化があるか否かを判断する（Ｓ１１０）。ここで表示画面の変化があると判断された場合には、音声出力制御部１３０は、定位情報を更新する（Ｓ１１５）。一方、ステップＳ１１０の判断において、表示画面の変化がないと判断された場合には、ステップＳ１１５の処理は省略される。
【００３９】
次に、音声出力制御部１３０は、所定時間が経過したか否かを判断する（Ｓ１２０）。ここで用いられる所定時間は、通知音を出力する時間として予め定められた時間であってよい。例えば所定時間は、ユーザにより情報処理装置１０に予め設定された値であってよい。或いは所定時間は、アプリケーションの所定値として予め設定された値であってもよい。
【００４０】
ステップＳ１２０の判断において、所定時間が経過したと判断された場合には、音声出力制御部１３０は、通知音の出力を停止し（Ｓ１２５）、ステップＳ１００から処理が繰り返される。一方、ステップＳ１２０の判断において、所定時間がまだ経過していないと判断された場合には、ステップＳ１１０の処理に戻り、所定時間が経過するまで定位情報の更新が繰り返されながら通知音が出力される。
【００４１】
以上説明したように、通知情報を知らせる通知音は、通知情報が関連づけられた画面と現在表示されている画面との位置関係に基づいて指向性を有する音声信号として出力される。かかる構成により、ユーザは、通知音の聞こえてくる方向から通知情報が関連づけられた画面を表示させるための操作方向を直感的に知ることができる。以下、複数の具体的な場面の例を挙げて、情報処理装置１０の通知動作について説明する。
【００４２】
＜４．第１の通知例（ホーム画面におけるアプリケーションからの通知）＞
次に、図４及び図５を参照しながら、本開示の一実施形態に係る情報処理装置の第１の通知例について説明する。図４は、同実施形態に係る情報処理装置の第１の通知例を説明するための説明図である。図５は、同実施形態に係る情報処理装置の第１の通知例において、スクロール操作がされたときの様子を説明するための説明図である。
【００４３】
例えばホーム画面が、スクロール操作に応じて表示される画面ＳＣ１、画面ＳＣ２、画面ＳＣ３、及び画面ＳＣ４の４つの画面を含む場合について考えてみる。この４つの画面のうち、図４に示されるように画面ＳＣ２が表示されているときに、画面ＳＣ４に表示されるアイコン３０により示されるアプリケーションの通知情報の発生が検知されると、音声出力制御部１３０は、現在表示されている画面ＳＣ２から画面ＳＣ４を表示させるための操作方向に基づいて、通知情報を知らせる通知音の定位情報を生成する。この場合、音声出力制御部１３０は、通知音が右側から聞こえるように定位情報を生成することができる。
【００４４】
また音声出力制御部１３０は、現在表示されている画面の表示状態を変更する操作が検知されると、この操作に応じて定位情報を更新することができる。例えば図４に示される状態において、右から左へスクロール操作が行われ、図５に示されるように画面ＳＣ３が現在表示されている画面となった場合を考えてみる。このとき、音声出力制御部１３０は、現在表示されている画面ＳＣ３から通知情報が関連づけられた画面ＳＣ４を表示させるための操作方向及び画面ＳＣ３と画面ＳＣ４との間の距離に基づいて定位情報を生成することができる。この場合、図４に示される状態よりも図５に示される状態の方が通知音が大きく聞こえるように制御されることが望ましい。かかる構成により、ユーザは、通知音の聞こえる方向により通知音が関連づけられた画面ＳＣ４を表示させるための操作方向を知ることができる。またユーザは、通知音の音量により現在表示されている画面から通知音が関連づけられた画面までの距離を知ることができる。
【００４５】
＜５．第２の通知例（画面遷移方向の通知）＞
次に、図６を参照しながら、本開示の一実施形態に係る情報処理装置の第２の通知例について説明する。図６は、同実施形態に係る情報処理装置の第２の通知例を説明するための説明図である。
【００４６】
ここでは、動画像を再生している場合において、「戻る」ボタンを押下することにより画面が横方向に遷移した場合の例が示される。このとき音声出力制御部１３０は、画面の遷移に合わせて音源位置を変化させることで音のアニメーションを提供することができる。このときユーザは、動画像を再生する画面が右側に遷移すると共に右側に通知音が遠ざかっていくように聞こえる。これにより、再生している画面が遷移した方向と，戻るボタンとの位置関係をユーザに示すことができる。このとき通知音には、例えば動画像の音声が用いられてもよい。或いは、通知音には別途のアラート音が用いられてもよい。
【００４７】
＜６．第３の通知例（バッファリング完了の通知）＞
次に、図７を参照しながら、本開示の一実施形態に係る情報処理装置の第３の通知例について説明する。図７は、同実施形態に係る情報処理装置の第３の通知例を説明するための説明図である。
【００４８】
通知音のアニメーションは、動画像の再生においてバッファリングの完了通知に用いられてもよい。例えば図７に示されるように、動画像再生画面ＳＣ２１において、動画像のバッファリングにより動画像が再生できない状態となった場合を考える。こここでユーザが「戻る」ボタン又はスクロール操作などにより、動画像一覧画面ＳＣ２２を表示させたとき、ユーザはこの動画像一覧画面ＳＣ２２を操作することができる。そして、動画像のバッファリングにより動画像が再生できる状態となると、音声出力制御部１３０は、通知音が動画像再生画面ＳＣ２１が遷移した方向から聞こえるように通知音を出力させることができる。ここでは音声出力制御部１３０は、通知音が右側から聞こえてくるように通知音の出力を制御することができる。ここで用いられる通知音は、アラート音であってもよいし動画像再生画面ＳＣ２１により再生される動画像の音声であってもよい。
【００４９】
これによりユーザは、バッファリングの完了を知ることができる。またユーザは、動画像再生画面ＳＣ２１と動画像一覧画面ＳＣ２２との間をスクロール操作により遷移することができる場合に、スクロール操作の方向を知る（思い出す）ことができる。
【００５０】
＜７．第４の通知例（通知情報を持つアプリケーションの起動画面を生成）＞
次に、図８〜図１２を参照しながら、本開示の一実施形態に係る情報処理装置の第４の通知例について説明する。図８は、同実施形態に係る情報処理装置の第４の通知例において、通知画面の生成を説明するための説明図である。図９は、図８に示される通知画面に対する操作を説明するための説明図である。図１０は、同実施形態に係る情報処理装置の第４の通知例において、通知画面の生成位置の制限について説明するための説明図である。図１１は、図１０に示される通知画面に対する操作を説明するための説明図である。図１２は、同実施形態に係る情報処理装置の第４の通知例において、通知音とともに誘導情報を表示させる変形例を説明するための説明図である。
【００５１】
上記の第１〜第３の通知例は、元々起動されていた画面からのアラート通知の例であった。ここでは、起動していないアプリケーションからの通知例について考えてみる。起動していないアプリケーションから通知があった場合に、通知に関連する画面を起動して自動的に配置することにより、ユーザは少ない操作で通知に関連する情報を確認することができるようになる。このとき、通知と共に通知に関連する画面が表示されてしまったのではユーザ操作を邪魔してしまうであろう。そこで、ここでは現在表示されている画面から、１ステップの操作（例えばいずれかの方向へのスクロール操作）により起動した画面が表示されるように、画面を配置する。
【００５２】
ここで、自動的に画面が配置されただけでは、ユーザはいずれの方向に操作を行えばよいか知ることができない。そこで本技術では、自動的に配置した方向を知らせる通知音を出力することによりユーザに操作方向を直感的に知らせることができる。
【００５３】
図８に示されるように、状態１において動画像再生画面が表示されている。ここで通知情報としてメールの受信が発生した場合に、表示制御部１２０は、状態２に示されるように、動画像再生画面の上下左右いずれかにメール表示画面を配置してよい。このとき音声出力制御部１３０は、配置された画面から指向性を持った通知音の出力を制御することができる。なおここで状態２Ａ、状態２Ｂ、状態２Ｃ、状態２Ｄを区別せずまとめて指す場合に状態２と言う。以下、同様である。例えば状態２Ａでは、現在表示されている画面の右側にメール表示画面が配置される。このときユーザは、右側から通知音が聞こえる。また状態２Ｂでは、現在表示されている画面の左側にメール表示画面が配置される。このときユーザは、左側から通知音が聞こえる。また状態２Ｃでは、現在表示されている画面の下側にメール表示画面が配置される。このときユーザは、下側又は後方から通知音が聞こえる。また状態２Ｄでは、現在表示されている画面の上側にメール表示画面が配置される。このときユーザは上側又は前方から通知音が聞こえる。なお、ここで配置される画面はメールの本文を含む表示画面としたが、本技術はかかる例に限定されない。通知と関連する画面は例えばメールの一覧画面であってもよい。
【００５４】
また図９に示されるように、状態２の画面からスクロール操作を行うと、状態３に示されるように、メール表示画面が表示部１１５に表示される。このように、通知に関する画面を自動的に配置することによって、１ステップの操作で通知情報を確認することができる。このとき、通知音の音源位置をこの通知に関する画面を表示させるための操作方向に応じて配置することにより、ユーザは通知音の方向から通知に関する画面が配置された位置、及びこの画面を表示させるための操作方向を知ることができる。
【００５５】
さらに、表示制御部１２０は、この通知に関する画面を配置する位置を制限することができる。例えば表示制御部１２０は、通知情報が発生したときに表示させれていた画面が受付けることのできる操作方向に基づいて、通知に関する画面を配置する位置を制限してもよい。例えば図１０を参照すると、状態１１において表示されている画面が画面の上下方向にスクロール操作することができる画面である場合を考えてみる。
【００５６】
このとき、表示制御部１２０が上下方向のスクロールによりメール表示画面が表示されるようにメール表示画面を配置すると、ユーザは、意図せずにメール表示画面を表示させてしまうかもしれない。すなわち、上下方向のスクロール操作が、状態１１において表示されていた動画像再生画面内におけるスクロール操作であるか、メール表示画面を表示させるためのスクロール操作であるかをユーザが判別しづらい。そこで、表示制御部１２０は、動画像再生画面において受付けられている操作方向である上下方向と直交する方向の操作によりメール表示画面が表示されるように、メール表示画面を配置することができる（状態１２）。
【００５７】
図１１に示されるように、この状態１２に示される画面においても、ユーザは聞こえてきた通知音の方向から操作方向を判断してスクロール操作を行うことにより、メール表示画面を表示させることができる（状態１３）。
【００５８】
また、通知情報を表示させるための操作方向は、通知音に加えて所定方向へのスクロール操作を誘導する誘導情報５０を表示することによりユーザに提供されてよい。例えば図１２に示されるように、状態２１においてユーザが地図アプリケーションを操作していたとする。このときメール受信の通知情報が発生すると、表示制御部１２０は、メール表示画面を現在表示されている画面の左側に配置する（状態２２）。このとき、音声出力制御部１３０は、通知音の音源位置を左側とする。また、表示制御部１２０は、さらに誘導情報５０を表示画面上に重畳して表示させることができる。例えば誘導情報５０は、図１２に示されるようにメール表示画面を表示させるための操作方向を示す矢印であってよい。ユーザがこの誘導情報５０に示される方向にスクロール操作を行うと、メール表示画面が表示される（状態２４）。
【００５９】
＜８．ハードウェア構成例＞
次に、図１３を参照しながら、本開示の一実施形態に係る情報処理装置のハードウェア構成例について説明する。図１３は、同実施形態に係る情報処理装置のハードウェア構成を示すブロック図である。
【００６０】
ここで、情報処理装置１０の構成の一例について説明する。図１３を参照すると、情報処理装置１０は、例えば、電話網アンテナ８１７と、電話処理部８１９と、ＧＰＳアンテナ８２１と、ＧＰＳ処理部８２３と、Ｗｉｆｉアンテナ８２５と、Ｗｉｆｉ処理部８２７と、地磁気センサ８２９と、加速度センサ８３１と、ジャイロセンサ８３３と、気圧センサ８３５と、撮像部８３７と、ＣＰＵ（Ｃｅｎｔｒａｌ  Ｐｒｏｃｅｓｓｉｎｇ  Ｕｎｉｔ）８３９と、ＲＯＭ（Ｒｅａｄ  Ｏｎｌｙ  Ｍｅｍｏｒｙ）８４１と、ＲＡＭ（Ｒａｎｄｏｍ  Ａｃｃｅｓｓ  Ｍｅｍｏｒｙ）８４３と、操作部８４７と、表示部８４９と、デコーダ８５１と、スピーカ８５３と、エンコーダ８５５と、マイク８５７と、記憶部８５９と、接続ポート８６１とを有する。なお、ここで示すハードウェア構成は一例であり、構成要素の一部が省略されてもよい。また、ここで示される構成要素以外の構成要素をさらに含んでもよいことは言うまでもない。
【００６１】
（電話網アンテナ８１７）
電話網アンテナ８１７は、通話及び通信用の携帯電話網と無線で接続する機能を有するアンテナの一例である。電話網アンテナ８１７は、携帯電話網を介して受信される通話信号を電話処理部８１９に供給することができる。
【００６２】
（電話処理部８１９）
電話処理部８１９は、電話網アンテナ８１７により送受信される信号に対する各種の信号処理を行う機能を有する。電話処理部８１９は、例えばマイク８５７を介して入力され、エンコーダ８５５によりエンコードされた音声信号に対して各種の信号処理を行い、電話網アンテナ８１７に供給することができる。また電話処理部８１９は、電話網アンテナ８１９から供給される音声信号に対して各種の信号処理を行い、デコーダ８５１に供給することができる。
【００６３】
（ＧＰＳアンテナ８２１）
ＧＰＳアンテナ８２１は、測位衛星からの信号を受信するアンテナの一例である。ＧＰＳアンテナ８２１は、複数のＧＰＳ衛星からのＧＰＳ信号を受信することができ、受信したＧＰＳ信号をＧＰＳ処理部８２３に入力する。
【００６４】
（ＧＰＳ処理部８２３）
ＧＰＳ処理部８２３は、測位衛星から受信された信号に基づいて位置情報を算出する算出部の一例である。ＧＰＳ処理部８２３は、ＧＰＳアンテナ８２１から入力された複数のＧＰＳ信号に基づいて現在の位置情報を算出し、算出した位置情報を出力する。具体的には、ＧＰＳ処理部８２３は、ＧＰＳ衛星の軌道データからそれぞれのＧＰＳ衛星の位置を算出し、ＧＰＳ信号の送信時刻と受信時刻との差分時間に基づいて、各ＧＰＳ衛星から当該情報処理装置１０までの距離をそれぞれ算出する。そして、算出された各ＧＰＳ衛星の位置と、各ＧＰＳ衛星から当該情報処理装置１０までの距離とに基づいて、現在の３次元位置を算出することができる。なお、ここで用いられるＧＰＳ衛星の軌道データは、例えばＧＰＳ信号に含まれていてもよい。或いは、ＧＰＳ衛星の軌道データは、通信アンテナ８２５を介して外部のサーバから取得されてもよい。
【００６５】
（Ｗｉｆｉアンテナ８２５）
Ｗｉｆｉアンテナ８２５は、例えば無線ＬＡＮ（Ｌｏｃａｌ  Ａｒｅａ  Ｎｅｔｗｏｒｋ）通信網との通信信号をＷｉｆｉの仕様に従って送受信する機能を有するアンテナである。Ｗｉｆｉアンテナ８２５は、受信した信号を通信処理部８２７に供給することができる。
【００６６】
（Ｗｉｆｉ処理部８２７）
Ｗｉｆｉ処理部８２７は、Ｗｉｆｉアンテナ８２５から供給された信号に各種の信号処理を行う機能を有する。Ｗｉｆｉ処理部８２７は、供給されたアナログ信号から生成したデジタル信号をＣＰＵ８３９に供給することができる。
【００６７】
（地磁気センサ８２９）
地磁気センサ８２９は、地磁気を電圧値として検出するセンサである。地磁気センサ８２９は、Ｘ軸方向、Ｙ軸方向、及びＺ軸方向の地磁気をそれぞれ検出する３軸地磁気センサであってよい。地磁気センサ８２９は、検出した地磁気データをＣＰＵ８３９に供給することができる。
【００６８】
（加速度センサ８３１）
加速度センサ８３１は、加速度を電圧値として検出するセンサである。加速度センサ８３１は、Ｘ軸方向に沿った加速度、Ｙ軸方向に沿った加速度、及びＺ軸方向に沿った加速度をそれぞれ検出する３軸加速度センサであってよい。加速度センサ８３１は、検出した加速度データをＣＰＵ８３９に供給することができる。
【００６９】
（ジャイロセンサ８３３）
ジャイロセンサ８３３は、物体の角度や角速度を検出する計測器の一種である。このジャイロセンサ８３３は、Ｘ軸、Ｙ軸、及びＺ軸周りの回転角の変化する速度（角速度）を電圧値として検出する３軸ジャイロセンサであってよい。ジャイロセンサ８３３は、検出した角速度データをＣＰＵ８３９に供給することができる。
【００７０】
（気圧センサ８３５）
気圧センサ８３５は、周囲の気圧を電圧値として検出するセンサである。気圧センサ８３５は、気圧を所定のサンプリング周波数で検出し、検出した気圧データをＣＰＵ８３９に供給することができる。
【００７１】
（撮像部８３７）
撮像部８３７は、ＣＰＵ８３９の制御に従い、レンズを介して静止画像又は動画像を撮影する機能を有する。撮像部８３７は、撮影した画像を記憶部８５９に記憶させてもよい。
【００７２】
（ＣＰＵ８３９）
ＣＰＵ８３９は、演算処理装置及び制御装置として機能し、各種プログラムに従って携帯端末３０内の動作全般を制御する。またＣＰＵ８３９は、マイクロプロセッサであってもよい。このＣＰＵ８３９は、各種プログラムに従って様々な機能を実現することができる。
【００７３】
（ＲＯＭ８４１，ＲＡＭ８４３）
ＲＯＭ８４１は、ＣＰＵ８３９が使用するプログラムや演算パラメータ等を記憶することができる。ＲＡＭ８４３は、ＣＰＵ８３９の実行において使用するプログラムや、その実行において適宜変化するパラメータ等を一時記憶することができる。
【００７４】
（操作部８４７）
操作部８４７は、ユーザ５が所望の操作をするための入力信号を生成する機能を有する。操作部８４７は、例えばタッチセンサ、マウス、キーボード、ボタン、マイク、スイッチ及びレバーなどユーザ５が情報を入力するための入力部と、ユーザ５による入力に基づいて入力信号を生成し、ＣＰＵ８３９に出力する入力制御回路などから構成されてよい。
【００７５】
（表示部８４９）
表示部８４９は、出力装置の一例であり、液晶ディスプレイ（ＬＣＤ：Ｌｉｑｕｉｄ  Ｃｒｙｓｔａｌ  Ｄｉｓｐｌａｙ）装置、有機ＥＬ（ＯＬＥＤ：Ｏｒｇａｎｉｃ  Ｌｉｇｈｔ  Ｅｍｉｔｔｉｎｇ  Ｄｉｏｄｅ）ディスプレイ装置などの表示装置であってよい。表示部８４９は、ユーザ５に対して画面を表示することにより情報を提供することができる。
【００７６】
（デコーダ８５１，スピーカ８５３）
デコーダ８５１は、ＣＰＵ８３９の制御に従い、入力されたデータのデコード及びアナログ変換などを行う機能を有する。デコーダ８５１は、例えば電話網アンテナ８１７及び電話処理部８１９を介して入力された音声データのデコード及びアナログ変換などを行い、音声信号をスピーカ８５３に出力することができる。またデコーダ８５１は、例えばＷｉｆｉアンテナ８２５及びＷｉｆｉ処理部８２７を介して入力された音声データのデコード及びアナログ変換などを行い、音声信号をスピーカ８５３に出力することができる。スピーカ８５３は、デコーダ８５１から供給される音声信号に基づいて音声を出力することができる。
【００７７】
（エンコーダ８５５，マイク８５７）
エンコーダ８５５は、ＣＰＵ８３９の制御に従い、入力されたデータのデジタル変換及びエンコードなどを行う機能を有する。エンコーダ８５５は、マイク８５７から入力される音声信号のデジタル変換及びエンコードなどを行い、音声データを出力することができる。マイク８５７は、音声を集音し、音声信号として出力することができる。
【００７８】
（記憶部８５９）
記憶部８５９は、データ格納用の装置であり、記憶媒体、記憶媒体にデータを記録する記録装置、記憶媒体からデータを読み出す読出し装置、および記憶媒体に記録されたデータを削除する削除装置などを含むことができる。ここで記憶媒体としては、例えばフラッシュメモリ、ＭＲＡＭ（Magnetoresistive  Random  Access  Memory）、ＦｅＲＡＭ（Ferroelectric  Random  Access  Memory）、ＰＲＡＭ（Phase  change  Random  Access  Memory）、及びＥＥＰＲＯＭ（Electronically  Erasable  and  Programmable  Read  Only  Memory）などの不揮発性メモリや、ＨＤＤ（Ｈａｒｄ  Ｄｉｓｋ  Ｄｒｉｖｅ）などの磁気記録媒体などが用いられてよい。
【００７９】
（接続ポート８６１）
接続ポート８６１は、オーディオデバイス１２と接続するための接続部である。ここでオーディオデバイス１２は、例えばヘッドフォン又は情報処理装置１０と別体のスピーカであってもよい。情報処理装置１０は、接続ポート８６１を介してオーディオデバイス１２から音声信号を出力することができる。
【００８０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００８１】
例えば上記実施形態で、携帯型電子機器である情報処理装置１０の内部で行われることとした機能の一部又は全部が複数の情報処理装置による分散処理で行われてもよい。発明を実施する時々の技術レベルに応じて、本技術の機能を実行するハードウェア構成については適宜変更することができる。
【００８２】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【００８３】
なお、以下のような構成も本開示の技術的範囲に属する。
（１）
第１の画面から、通知音と関連づけられた第２の画面を表示させるための操作方向を取得する操作方向取得部と、
前記操作方向に応じて、前記通知音の音源位置を示す定位情報を生成する定位情報生成部と、
を備える、情報処理装置。
（２）
前記定位情報生成部は、前記第１の画面と前記第２の画面との間の距離に応じて前記定位情報を生成する、
前記（１）に記載の情報処理装置。
（３）
前記定位情報生成部は、経時的に前記音源位置を変化させ、前記音源位置の終着点を前記操作方向に応じた位置とする前記定位情報を生成する、
前記（１）または（２）のいずれかに記載の情報処理装置。
（４）
前記情報処理装置の筐体の傾き情報を取得する傾き情報取得部、
をさらに備え、
前記定位情報生成部は、前記傾き情報に基づいて前記音源位置が変化する前記定位情報を生成する、
前記（１）〜（３）のいずれかに記載の情報処理装置。
（５）
通知情報の発生が検知されると、前記第２の画面を生成する生成部、
をさらに備え、
前記操作方向取得部は、前記第２の画面が生成されると前記第２の画面を表示させるための前記操作方向を決定する、
前記（１）〜（４）のいずれかに記載の情報処理装置。
（６）
前記操作方向取得部は、前記第１の画面の表示状態を変化させる操作が受付けられる方向に基づいて、前記操作方向を決定する、
前記（５）に記載の情報処理装置。
（７）
前記操作方向取得部は、前記第１の画面の表示状態を変化させる操作が受付けられない方向を前記第２の画面を表示させるための前記操作方向とする、
前記（６）に記載の情報処理装置。
（８）
前記操作方向取得部が前記操作方向を決定すると、決定した前記操作方向を示す誘導情報を表示させる誘導情報表示制御部、
をさらに備える、前記（５）〜（７）のいずれかに記載の情報処理装置。
（９）
前記定位情報に基づいて、前記通知音に立体音響処理を施す音響処理部、
をさらに備える、前記（１）〜（８）のいずれかに記載の情報処理装置。
（１０）
表示画面の表示状態を変化させる操作情報を取得する操作情報取得部、
をさらに備え、
前記定位情報生成部は、前記操作情報に基づいて前記第１の画面と前記第２の画面との間の距離が変化すると、前記距離の変化に追従して前記音源位置を変化させる、
前記（２）に記載の情報処理装置。
（１１）
前記第２の画面は、通知情報を有するアプリケーションの起動画面であり、
前記通知音は、前記通知情報を知らせるための音である、
前記（５）〜（１０）のいずれかに記載の情報処理装置。
（１２）
前記第１の画面は、アプリケーションのアイコンが並んで表示される画面のうち現在表示されている画面であり、
前記第２の画面は、前記通知情報を有するアプリケーションのアイコンが表示される画面である、
前記（１）〜（４）のいずれかに記載の情報処理装置。
（１３）
第１の画面から、通知音と関連づけられた第２の画面を表示させるための操作方向を取得することと、
前記操作方向に応じて前記通知音の音源位置を示す定位情報を生成することと、
を含む、情報処理方法。
（１４）
コンピュータを、
第１の画面から、通知音と関連づけられた第２の画面を表示させるための操作方向を取得する操作方向取得部と、
前記操作方向に応じて前記通知音の音源位置を示す定位情報を生成する定位情報生成部と、
を備える、情報処理装置として機能させるためのプログラム。
【符号の説明】
【００８４】
１０      情報処理装置
１０５    操作部
１１０    操作情報取得部（操作方向取得部、傾き情報取得部）
１１５    表示部
１２０    表示制御部（生成部）
１２５    音声出力部
１３０    音声出力制御部（定位情報生成部）
【図１】
2013162284.tif 000003
【図２】
2013162284.tif 000004
【図３】
2013162284.tif 000005
【図４】
2013162284.tif 000006
【図５】
2013162284.tif 000007
【図６】
2013162284.tif 000008
【図７】
2013162284.tif 000009
【図８】
2013162284.tif 000010
【図９】
2013162284.tif 000011
【図１０】
2013162284.tif 000012
【図１１】
2013162284.tif 000013
【図１２】
2013162284.tif 000014
【図１３】
2013162284.tif 000015
【図１４】
2013162284.tif 000016
【図１５】
2013162284.tif 000017